(57)【要約】【課題】被綴じ物が垂れて表紙より出ないように綴じることができるファイル・バインダ類を提供する。【解決手段】この発明のファイル・バインダ類は、表紙に綴じ具を固定されたファイル・バインダ類１０１０を、綴じ具１０の綴じ杆１２，１４の開閉方向と交差する方向に立てたとき、被綴じ物Ｓの綴じ穴と離れた領域が背表紙１０１４に連設された表紙の端縁より綴じ杆１２，１４の開閉方向と交差する方向に向いて外に出ないように、被綴じ物Ｓの端縁を押し上げる押し上げ手段１０３０が表紙に固定され、前記押し上げ手段１０３０は、揺動して被綴じ物に接離できるように構成され、表紙１０１２が閉じられたときに、被綴じ物の綴じ穴より下方の端縁Ｓ１を押し上げるために、被綴じ物の端縁に当接し且つ押し上げるように形成されている。【選択図】図１
2010069736.tif 000002
【特許請求の範囲】
【請求項１】
綴じ穴を２以上穿設された被綴じ物の綴じ穴に綴じ杆を挿通して綴じ具に綴じる、ファイル・バインダ類において、
背表紙の内面より綴じ具の高さ方向における上方において、綴じ杆の開閉方向を背表紙の幅方向に方向づけられて表紙に綴じ具を固定されたファイル・バインダ類を、綴じ具の綴じ杆の開閉方向と交差する方向に立てたとき、被綴じ物の綴じ穴と離れた領域が背表紙に連設された表紙の端縁より綴じ杆の開閉方向と交差する方向に向いて外に出ないように、被綴じ物の端縁を押し上げる押し上げ手段が表紙に固定され、
前記押し上げ手段は、揺動して被綴じ物に接離できるように構成され、表紙が閉じられたときに、被綴じ物の綴じ穴より下方の端縁を押し上げるために、被綴じ物の端縁に当接し且つ押し上げるように形成された、ファイル・バインダ類。
【請求項２】
表紙は、背表紙と、前記背表紙に連設された表表紙と、前記背表紙に連設された裏表紙と、前記背表紙と表表紙との間及び背表紙と裏表紙との間に介在する立設部とを有し、
綴じ具は、表表紙及び裏表紙における背表紙との間の前記立設部の内部に収容され、
当接部は、表表紙及び裏表紙と背表紙との間の前記立設部の内部に収容され、表紙が開けられたときに、少なくとも開いた表紙の内面と同等の位置又はそれより綴じ具側に下がった位置に位置するように構成された、請求項１に記載のファイル・バインダ類。
【請求項３】
綴じ具は、リング綴じ具、パイプ型綴じ具又はプロング型綴じ具である、請求項１又は請求項２に記載のファイル・バインダ類。
【請求項４】
押し上げ手段は、表紙を閉じたときに、表紙に連動して被綴じ物の端縁に向けて突き出て形成される、請求項１ないし請求項３のいずれかに記載のファイル・バインダ類。
【請求項５】
押し上げ手段は、当接部と、取付部と、前記当接部と取付部とを連結するヒンジ部とを備え、
当接部は、表紙が閉じられたときに、被綴じ物の綴じ穴より下方の端縁を押し上げるために、被綴じ物の端縁に当接し且つ押し上げるように形成され、
取付部は、当接部がヒンジ部を中心にして揺動して被綴じ物に接離できるように、表紙の内面に固定される、請求項１ないし請求項４に記載のファイル・バインダ類。
【請求項６】
当接部は、表紙が閉じられたとき、その裏面の一部および／又は延長した支持部が綴じ具を固定された表紙の内面に当接しおよび／又は突っ張って、被綴じ物の綴じ穴より下方の端縁を押し上げるように構成された、請求項１ないし請求項５に記載のファイル・バインダ類。
【請求項７】
当接部は、表紙が閉じられたときに、押し上げ手段を構成する押し上げ部によって、その一部を押し下げ又は押し上げられることにより、被綴じ物の綴じ穴より下方の端縁を押し上げるように構成された、請求項１ないし請求項５に記載のファイル・バインダ類。
【発明の詳細な説明】
【技術分野】
【０００１】
この発明は、ファイル・バインダ類に関し、特に例えば綴じ穴のあいた被綴じ物を綴じる綴じ具を備えたファイルに関する。
【背景技術】
【０００２】
この発明の背景となる従来の綴じ穴のあいた被綴じ物を綴じる綴じ具として、リング綴じ具、パイプ式綴じ具、Ａ−Ｚ型綴じ具があるが、その一例が、たとえば特開２００６−１５９９１３号公報に開示されている。この公報に開示されている綴じ具は、いわゆるＤ型リング綴じ具をファイル用表紙に固定し、綴じ穴のあいた被綴じ物を綴じるように構成されている。
【０００３】
【特許文献１】特開２００６−１５９９１３号公報
【発明の開示】
【発明が解決しようとする課題】
【０００４】
従来のＤ型又はＯ型リングの綴じ具を用いたファイル１においては、図３９に示すように、用箋等の被綴じ物２の綴じ穴３より綴じ具４の綴環５が細いので、綴じ具４を垂直に立てるようにしてファイル１を立てたとき、用箋等の被綴じ物２の自重により綴じ具４の綴環５に綴じられた被綴じ物２が垂れてしまい、被綴じ物２の下端縁６が表紙７よりはみ出すという問題がある。
それゆえに、この発明の主たる目的は、被綴じ物が垂れて表紙より出ないように綴じることができるファイル・バインダ類を提供することである。
【課題を解決するための手段】
【０００５】
この発明にかかるファイル・バインダ類は、綴じ穴を２以上穿設された被綴じ物の綴じ穴に綴じ杆を挿通して綴じ具に綴じる、ファイル・バインダ類において、背表紙の内面より綴じ具の高さ方向における上方において、綴じ杆の開閉方向を背表紙の幅方向に方向づけられて表紙に綴じ具を固定されたファイル・バインダ類を、綴じ具の綴じ杆の開閉方向と交差する方向に立てたとき、被綴じ物の綴じ穴と離れた領域が背表紙に連設された表紙の端縁より綴じ杆の開閉方向と交差する方向に向いて外に出ないように、被綴じ物の端縁を押し上げる押し上げ手段が表紙に固定され、前記押し上げ手段は、揺動して被綴じ物に接離できるように構成され、表紙が閉じられたときに、被綴じ物の綴じ穴より下方の端縁を押し上げるために、被綴じ物の端縁に当接し且つ押し上げるように形成された、ファイル・バインダ類である。
この発明の請求項２にかかるファイル・バインダ類は、表紙は、背表紙と、前記背表紙に連設された表表紙と、前記背表紙に連設された裏表紙と、前記背表紙と表表紙との間及び背表紙と裏表紙との間に介在する立設部とを有し、綴じ具は、表表紙及び裏表紙における背表紙との間の前記立設部の内部に収容され、当接部は、表表紙及び裏表紙と背表紙との間の前記立設部の内部に収容され、表紙が開けられたときに、少なくとも開いた表紙の内面と同等の位置又はそれより綴じ具側に下がった位置に位置するように構成された、請求項１に記載のファイル・バインダ類である。
この発明の請求項３にかかるファイル・バインダ類は、綴じ具は、リング綴じ具、パイプ型綴じ具又はプロング型綴じ具である、請求項１又は請求項２に記載のファイル・バインダ類である。
この発明の請求項４にかかるファイル・バインダ類は、押し上げ手段は、表紙を閉じたときに、表紙に連動して被綴じ物の端縁に向けて突き出て形成される、請求項１ないし請求項３のいずれかに記載のファイル・バインダ類である。
この発明の請求項５にかかるファイル・バインダ類は、押し上げ手段は、当接部と、取付部と、前記当接部と取付部とを連結するヒンジ部とを備え、当接部は、表紙が閉じられたときに、被綴じ物の綴じ穴より下方の端縁を押し上げるために、被綴じ物の端縁に当接し且つ押し上げるように形成され、取付部は、当接部がヒンジ部を中心にして揺動して被綴じ物に接離できるように、表紙の内面に固定される、請求項１ないし請求項４に記載のファイル・バインダ類である。
この発明の請求項６にかかるファイル・バインダ類は、当接部は、表紙が閉じられたとき、その裏面の一部および／又は延長した支持部が綴じ具を固定された表紙の内面に当接しおよび／又は突っ張って、被綴じ物の綴じ穴より下方の端縁を押し上げるように構成された、請求項１ないし請求項５に記載のファイル・バインダ類である。
この発明の請求項７にかかるファイル・バインダ類は、当接部は、表紙が閉じられたときに、押し上げ手段を構成する押し上げ部によって、その一部を押し下げ又は押し上げられることにより、被綴じ物の綴じ穴より下方の端縁を押し上げるように構成された、請求項１ないし請求項５に記載のファイル・バインダ類である。
【発明の効果】
【０００６】
この発明によれば、綴じ穴を２以上穿設された被綴じ物の綴じ穴に綴じ杆を挿通して綴じ具に綴じる、ファイル・バインダ類において、背表紙の内面より綴じ具の高さ方向における上方において、綴じ杆の開閉方向を背表紙の幅方向に方向づけられて表紙に綴じ具を固定されたファイル・バインダ類を、綴じ具の綴じ杆の開閉方向と交差する方向に立てたとき、被綴じ物の綴じ穴と離れた領域が背表紙に連設された表紙の端縁より綴じ杆の開閉方向と交差する方向に向いて外に出ないように、被綴じ物の端縁を押し上げる押し上げ手段が表紙に固定されることによって、ファイルに綴じられた被綴じ物が垂れないように綴じることができる。
請求項２の発明によれば、表紙は、背表紙と、前記背表紙に連設された表表紙と、前記背表紙に連設された裏表紙と、前記背表紙と表表紙との間及び背表紙と裏表紙との間に介在する立設部とを有し、綴じ具は、表表紙及び裏表紙における背表紙との間の前記立設部の内部に収容され、当接部は、表表紙及び裏表紙と背表紙との間の前記立設部の内部に収容され、表紙が開けられたときに、少なくとも開いた表紙の内面と同等の位置又はそれより綴じ具側に下がった位置に位置するように構成されているので、ファイルの表紙を開いたときに、表紙の内面上において、被綴じ物を平坦な状態に見開き、閲覧することができるとともに、ファイルの表紙を閉じるだけで、被綴じ物が垂れないように綴じることができる。
請求項３の発明によれば、綴じ具は、リング綴じ具、パイプ型綴じ具又はプロング型綴じ具であるので、ファイルの表紙を閉じるだけで、被綴じ物が垂れないように綴じることができる。
請求項４の発明によれば、押し上げ手段は、表紙を閉じたときに、表紙に連動して被綴じ物の端縁に向けて突き出て形成されているので、ファイルの表紙を閉じるだけで、被綴じ物が垂れないように綴じることができる。
請求項５の発明によれば、押し上げ手段は、当接部と、取付部と、前記当接部と取付部とを連結するヒンジ部とを備え、当接部は、表紙が閉じられたときに、被綴じ物の綴じ穴より下方の端縁を押し上げるために、被綴じ物の端縁に当接し且つ押し上げるように形成され、取付部は、当接部がヒンジ部を中心にして揺動して被綴じ物に接離できるように、表紙の内面に固定されているので、押し上げ手段により、ファイルの表紙を閉じるだけで、被綴じ物が垂れないように綴じることができる。
請求項６の発明によれば、当接部は、表紙が閉じられたとき、その裏面の一部および／又は延長した支持部が綴じ具を固定された表紙の内面に当接しおよび／又は突っ張って、被綴じ物の綴じ穴より下方の端縁を押し上げるように構成されているので、ファイルの表紙を閉じるだけで、被綴じ物が垂れないように綴じることができる。
請求項７の発明によれば、当接部は、表紙が閉じられたときに、押し上げ手段を構成する押し上げ部によって、その一部を押し下げ又は押し上げられることにより、被綴じ物の綴じ穴より下方の端縁を押し上げるように構成されているので、ファイルの表紙を閉じるだけで、被綴じ物が垂れないように綴じることができる。
【０００７】
この発明の上述の目的、その他の目的、特徴および利点は、図面を参照して行う以下の発明を実施するための最良の形態の説明から一層明らかとなろう。
一般的には、ファイルとはおおむね記録済みの文書（伝票・カタログ・書類など）をとじ、又は、はさみ入れて整理・保管することのできる表紙をいい、バインダーとはおおむね未記録のとじ穴のある用紙（ルーズリーフ、帳票など）を挿入し、記録できる、とじ具付き表紙をいうが、この発明の特許請求の範囲及び明細書においては、綴じ具の付いたファイルとバインダーとを総称して、ファイルという。
【発明を実施するための最良の形態】
【０００８】
図１は、本発明の一実施の形態であるファイルの平面図解図である。図４は、図１図示ファイルの表紙を閉じた状態の平面図解図である。
【０００９】
この発明の実施の形態であるファイル１０１０は、表紙１０１２と、表紙１０１２に固定された、リング綴じ具１０とを含む。
【００１０】
綴じ具１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００１１】
表紙１０１２は、前記綴じ具１０の保持部材を固定する背表紙１０１４と、前記背表紙１０１４の両端に開閉自在に延設された、表表紙１０１６及び裏表紙１０１８とを備え、図１及び２に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００１２】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は、背表紙１０１４と裏表紙１０１８との境界に設けられている。
【００１３】
表表紙１０１６及び裏表紙１０１８と背表紙１０１４との連設部の構成としては、プラスチック製表紙体に略Ｖ字溝からなる連設部１０２４ａ、１０２４ｂを形成してその溝底で折り曲げる構成を採用している。すなわち、表表紙１０１６及び裏表紙１０１８と背表紙１０１４との連設部１０２４ａ、１０２４ｂとなる略Ｖ字溝を設け、この連設部１０２４ａ、１０２４ｂの溝底で折り曲げて背表紙１０１４に対し表表紙１０１６及び裏表紙１０１８が立設状態に連設されるようにしたものである。連設部１０２４ａ、１０２４ｂを利用した場合、この連設部１０２４ａ、１０２４ｂの開き角度を変えることによって背表紙１０１４の構造を変更することができる。
【００１４】
表表紙１０１６及び裏表紙１０１８の開閉を可能にする薄肉ヒンジ部１０２０と１０２２は、断面略Ｖ字溝であり、連設部１０２４ａ、１０２４ｂから若干小口寄りの位置において表表紙１０１６及び裏表紙１０１８に設けられる。
表表紙１０１６は、表側薄肉ヒンジ部１０２０と連設部１０２４ａとの間には表側立設部１０２６が形成されており、又、裏側薄肉ヒンジ部１０２２と連設部１０２４ｂとの間には、裏側立設部１０２８が形成されている。
【００１５】
この綴じ具１０の第１の綴環１２及び第２の綴環１４は、Ｏ字型であり、図３８において示すように、綴じ具の長さ（Ｄ）と、綴じ具の幅（Ｅ）と、綴じ具の高さ（Ｈ）とを有する。
この綴じ具１０の綴環は、第１の綴環１２と第２の綴環１４とからなるが、第１の綴環１２の綴じ杆たる第１の半割杆１２ａと綴じ杆たる第２の半割杆１２ｂ及び第２の綴環１４の綴じ杆たる第３の半割杆１４ａと綴じ杆たる第４の半割杆１４ｂとがそれぞれ線対称であり、その形状が略同じである。
すなわち、第１の綴環１２の第１の半割杆１２ａ及び第２の綴環１４の第３の半割杆１４ａは、略半円環状であり、もう一方の（第１の綴環１２の）第２の半割杆１２ｂ及び（第２の綴環１４の）第４の半割杆１４ｂは、略半円環状であり、背表紙１０１４の内側に位置する。
第１の綴環１２と第２の綴環１４とは、綴じ具の長さ（Ｄ）方向において適宜な間隔をおいて分かれており、第１の綴環１２及び第２の綴環１４ののびる方向、すなわち高さ（Ｈ）方向を有する。第１の綴環１２及び第２の綴環１４の高さ（Ｈ）方向は、表紙１０１２の幅（Ｅ）方向にのび、且つ表表紙１０１６と裏表紙１０１８の内面と直交し背表紙１０１４の内表面と直交する平面（仮想面）上においてのびる。
【００１６】
綴じ具１０は、表側薄肉ヒンジ部１０２０及び裏側薄肉ヒンジ部１０２２との間に少し距離をおいて、背表紙１０１４の内面より、綴じ具１０の高さ方向における上方において、第１の綴環１２及び第２の綴環１４の開閉方向を背表紙１０１４の幅方向に方向づけられて、背表紙１０１４の内面に固定されている。
そして、第１の綴環１２の基部と頂部との間の長さ及び第２の綴環１４の基部と頂部との間の長さ（すなわち第１の綴環１２及び第２の綴環１４の高さ（Ｈ））は、両方略同等に形成されている。
【００１７】
このファイル１０１０は、押し上げ手段１０３０が、ファイル１０１０の表紙１０１２の内側に進退自在に形成されている。
押し上げ手段１０３０は、綴じ具１０を第１の綴環１２及び第２の綴環１４の開閉方向と交差する方向、すなわち綴じ具１０の長さ方向に立てたとき、被綴じ物Ｓが垂れて、表表紙１０１６及び裏表紙１０１８の下端縁より外に出ないようにするために、すなわち綴環１２及び第２の綴環１４の開閉方向と交差する方向に向いて外に出ないようにするために形成されている。
押し上げ手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイル１０１０を綴じ具１０の長さ方向に立てたとき、表表紙１０１６と背表紙１０１４とのなす角度が略１８０度から略９０度に縮まり、その折り曲げに対応して被綴じ物Ｓの綴じ代側端縁Ｓ１に向けて突き出て、該被綴じ物Ｓを押し上げるように、形成される。
【００１８】
押し上げ手段１０３０は、表紙１０１２の内側に取り付けられた押し上げ手段１０３０を構成する立ち上がり部材１０３０Ａにより構成され、該立ち上がり部材１０３０Ａは、少なくとも背表紙１０１４の内側に進退自在に収容された当接部１０３２を有する。
当接部１０３２は、表表紙１０１６、裏表紙１０１８及び背表紙１０１４のうち一つに連結されている。
【００１９】
立ち上がり部材１０３０Ａは、綴じ具１０を取り付けられた背表紙１０１４に続く表表紙１０１６に、取付部１０３４をもって固着され、当接部１０３２との間のヒンジ部１０３６により折れ曲がり、綴じ代側端縁Ｓ１に向けて当接部１０３２が進退自在となるように形成されている。
ヒンジ部１０３６は、綴じ具１０の下方であって、表側薄肉ヒンジ部１０２０から上方に向かうに従って背表紙１０１４の内面に向けて表側薄肉ヒンジ部１０２０に交差するようにのびる直線状薄肉部によって構成されている。
【００２０】
押し上げ手段１０３０は、表紙１０１２を開いたときには、背表紙１０１４よりも高い位置にある表表紙１０１６及び裏表紙１０１８と略々同じ高さに位置するように構成されている。
押し上げ手段１０３０は、表紙１０１２を閉じたときには、略々垂直に立ち上がった表表紙１０１６の内面に沿って当接部１０３２が立ち上がるとともに、ヒンジ部１０３６によって折れ曲がり、当接部１０３２の向こう側の上端近傍が背表紙１０１４の内面に当接するとともに当接部１０３２の手前側の下端近傍が表側薄肉ヒンジ部１０２０及び裏側薄肉ヒンジ部１０２２よりも上方の位置に立ち上がるように構成されている。
【００２１】
この実施の形態においては、取付部１０３４は、平面視略々台形状の平板からなり、向こう側上端縁１０３８と手前側下端縁１０４０とは平行で、向こう側上端縁１０３８は、背表紙側端が背表紙１０１４の上方に至るまでのび、手前側下端縁１０４０は、表側薄肉ヒンジ部１０２０までのびている。
又、当接部１０３２は、平面視略々台形状の平板からなり、向こう側上端縁１０４２と手前側下端縁１０４４とは平行である。そして、向こう側上端縁１０４２は、向こう側上端縁１０４２の裏表紙側端が裏表紙１０１８の内側にある裏側薄肉ヒンジ部１０２２の近傍に至るまでのび、手前側下端縁１０４４は、表表紙側端部が表側薄肉ヒンジ部１０２０の近傍に位置し、手前側下端縁１０４４の裏表紙側端部が裏側薄肉ヒンジ部１０２２の近傍に位置するように、表紙１０１２の幅方向にのびる。
当接部１０３２の表側端縁１０４６は、ヒンジ部１０３６より更に手前側にのび、表紙１０１２を開いたときに、表側薄肉ヒンジ部１０２０を超えて表表紙１０１６までのびる。
当接部１０３２の裏側端縁１０４８は、表紙１０１２を開いたときと閉じたときのいずれも、背表紙１０１４の領域内に収まるように形成されている。
【００２２】
そして、表紙を閉じたときには、当接部１０３２の向こう側上端縁１０４２は、背表紙１０１４の内面に当接し、当接部１０３２の手前側下端縁１０４４は、表側薄肉ヒンジ部１０２０より表紙の幅方向に向けて立ち上がり、被綴じ物Ｓの綴じ代側端縁Ｓ１を押し上げる。
【００２３】
而して、綴じ穴を２以上穿設された被綴じ物Ｓの綴じ穴に、第１の綴環１２の第１の半割杆１２ａ及び第２の半割杆１２ｂ並びに第２の綴環１４の第３の半割杆１４ａ及び第４の半割杆１４ｂを挿通して、綴じ具１０に被綴じ物Ｓを綴じられたファイル１０１０を閉じ、且つ、ファイル１０１０を、綴じ具１０の長さ方向に立てたとき、被綴じ物Ｓの綴じ穴と離れた領域である自由端側の近傍の下端縁が、表表紙１０１６及び裏表紙１０１８の下端縁より垂れ下がることなく、外に出ない。
【００２４】
なお、図１図示ファイルは、図７ないし図１２に示すように、変更することが可能である。
当接部１０３２の裏面、すなわち，背表紙１０１４側に、表紙１０１２を閉じたときに、当接部１０３２が立ち上がり被綴じ物Ｓの綴じ代側端縁Ｓ１を確実に押し上げるように支持部１０３２ａを突設してもよい。
支持部１０３２ａは、表紙１０１２を開いたときに、当接部１０３２が開かれた表表紙１０１６と裏表紙１０１８の内面と略々同じ平面上に位置するように当接部１０３２を支持する第１下縁１０３２ａ１と、表紙を閉じたときに、当接部１０３２がその手前側端縁が確実に持ち上がるように当接部１０３２を支持する第２下縁１０３２ａ２とを有する。
【００２５】
図１３は、本発明の一実施の形態であるファイルの平面図解図である。図１７は、図１３図示ファイルの表紙を閉じた状態の平面図解図である。
【００２６】
この発明の実施の形態であるファイル１１１０は、表紙１１１２と、表紙１１１２に固定された綴じ具１０とを含む。
【００２７】
綴じ具１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００２８】
表紙１１１２は、前記綴じ具１０の保持部材を固定する背表紙１１１４と、前記背表紙１１１４の両端に開閉自在に延設された、表表紙１１１６及び裏表紙１１１８とを備え、図１及び２に示すように、表表紙１１１６と裏表紙１１１８が背表紙１１１４に対して立設状態となり対向するように連設され、幅（Ａ）と高さ（Ｂ）と背幅（Ｃ）とを有する。
そして、表表紙１１１６及び裏表紙１１１８は、背表紙１１１４寄りに高さ（Ｂ）方向にのびる開閉用の表側薄肉ヒンジ部１１２０及び裏側薄肉ヒンジ部１１２２が設けられ、表側薄肉ヒンジ部１１２０と裏側薄肉ヒンジ部１１２２とは、平行でその間において背幅（Ｃ）を構成する。
【００２９】
表表紙１１１６の開閉を可能にする表側薄肉ヒンジ部１１２０及び裏表紙１１１８の開閉を可能にする裏側薄肉ヒンジ部１１２２は、断面略Ｖ字溝であり、表側薄肉ヒンジ部１１２０と裏側薄肉ヒンジ部１１２２とは、それぞれ平行である。表側薄肉ヒンジ部１１２０は、背表紙１１１４と表表紙１１１６との境界に設けられており、裏側薄肉ヒンジ部１１２２は、背表紙１１１４と裏表紙１１１８との境界に設けられている。
【００３０】
表表紙１１１６及び裏表紙１１１８と背表紙１１１４との連設部の構成としては、プラスチック製表紙体に略Ｖ字溝からなる連設部１１２４ａ、１１２４ｂを形成してその溝底で折り曲げる構成を採用している。すなわち、図８に示す通り、表表紙１１１６及び裏表紙１１１８と背表紙１１１４との連設部１１２４ａ、１１２４ｂとなる略Ｖ字溝を設け、この連設部１１２４ａ、１１２４ｂの溝底で折り曲げて背表紙１１１４に対し表表紙１１１６及び裏表紙１１１８が立設状態に連設されるようにしたものである。連設部１１２４ａ、１１２４ｂを利用した場合、この連設部１１２４ａ、１１２４ｂの開き角度を変えることによって背表紙１１１４の構造を変更することができる。
【００３１】
表表紙１１１６及び裏表紙１１１８の開閉を可能にする薄肉ヒンジ部１１２０と１１２２は、断面略Ｖ字溝であり、連設部１１２４ａ、１１２４ｂから若干小口寄りの位置において表表紙１１１６及び裏表紙１１１８に設けられる。
表表紙１１１６は、表側薄肉ヒンジ部１１２０と連設部１１２４ａとの間には表側立設部１１２６が形成されており、又、裏側薄肉ヒンジ部１１２２と連設部１１２４ｂとの間には、裏側立設部１１２８が形成されている。
【００３２】
この綴じ具１０の第１の綴環１２及び第２の綴環１４は、Ｏ字型であり、図３８において示すように、綴じ具の長さ（Ｄ）と、綴じ具の幅（Ｅ）と、綴じ具の高さ（Ｈ）とを有する。
この綴じ具１０の綴環は、第１の綴環１２と第２の綴環１４とからなるが、第１の綴環１２の第１の半割杆１２ａと第２の半割杆１２ｂ及び第２の綴環１４の第３の半割杆１４ａと第４の半割杆１４ｂとがそれぞれ線対称であり、その形状が略同じである。
すなわち、第１の綴環１２の第１の半割杆１２ａ及び第２の綴環１４の第３の半割杆１４ａは、略半円環状であり、もう一方の（第１の綴環１２の）第２の半割杆１２ｂ及び（第２の綴環１４の）第４の半割杆１４ｂは、略半円環状であり、背表紙１１１４の内側に位置する。
第１の綴環１２と第２の綴環１４とは、綴じ具の長さ（Ｄ）方向において適宜な間隔をおいて分かれており、第１の綴環１２及び第２の綴環１４ののびる方向、すなわち高さ（Ｈ）方向を有する。第１の綴環１２及び第２の綴環１４の高さ（Ｈ）方向は、表紙１１１２の幅（Ｅ）方向にのび、且つ表表紙１１１６と裏表紙１１１８の内面と直交し背表紙１１１４の内表面と直交する平面（仮想面）上においてのびる。
【００３３】
綴じ具１０は、表側薄肉ヒンジ部１１２０及び裏側薄肉ヒンジ部１１２２との間に少し距離をおいて、背表紙１１１４の内面に固定されており、第１の綴環１２の基部と頂部との間の長さ及び第２の綴環１４の基部と頂部との間の長さ（すなわち第１の綴環１２及び第２の綴環１４の高さ（Ｈ））は、両方略同等に形成されている。
【００３４】
このファイル１１１０は、綴じ具１０を長さ方向に立てたとき、被綴じ物Ｓを垂れないようにするための押し上げ手段１１３０がファイルの表紙１１１２の内側に進退自在に形成されている。
押し上げ手段１１３０は、表紙１１１２の表表紙１１１６を表側薄肉ヒンジ部１１２０において折り曲げ且つ裏表紙１１１８を裏側薄肉ヒンジ部１１２２において折り曲げて閉じ、ファイルを綴じ具１０の長さ方向に立てたとき、表表紙１１１６と背表紙１１１４とのなす角度が略１８０度から略９０度に縮まり、その折り曲げに対応して被綴じ物Ｓの綴じ代側端縁Ｓ１に向けて突き出て、該被綴じ物Ｓを押し上げるように、形成される。
【００３５】
押し上げ手段１１３０は、表紙１１１２の内側に取り付けられた押し上げ手段１１３０を構成する裏側と表側の左右一対の立ち上がり部材１１３０Ａ，１１３０Ｂにより構成されている。裏側の立ち上がり部材１１３０Ａは、少なくとも背表紙１１１４の内側に進退自在に収容された当接部１１３２を有する。
当接部１１３２は、表表紙１１１６、裏表紙１１１８及び背表紙１１１４のうち一つに連結されている。
【００３６】
裏側の立ち上がり部材１１３０Ａは、綴じ具１０を取り付けられた背表紙１１１４に続く裏表紙１１１８に、取付部１１３４をもって固着され、当接部１１３２との間のヒンジ部１１３６により折れ曲がり、綴じ代側端縁Ｓ１に向けて当接部１１３２が進退自在となるように形成されている。
ヒンジ部１１３６は、綴じ具１０の下方であって、裏側薄肉ヒンジ部１１２２から上方に向かうに従って背表紙１１１４の内面に向けて表側薄肉ヒンジ部１１２０に交差するようにのびる直線状薄肉部によって構成されている。
表側の立ち上がり部材１１３０Ｂは、少なくとも背表紙１１１４の内側に進退自在に収容された作動部１１５２を有し、綴じ具１０を取り付けられた背表紙１１１４に続く表表紙１１１６に、第２取付部１１５４をもって固着されている。
表側の立ち上がり部材１１３０Ｂは、作動部１１５２との間の第２ヒンジ部１１５６により折れ曲がり、立ち上がり部材１１３０Ａの当接部１１３２の表面に向けて進退自在となるように形成されている。
第２ヒンジ部１１５６は、綴じ具１０の下方であって、表側薄肉ヒンジ部１１２０から上方に向かうに従って、背表紙１１１４の内面に向けて表側ヒンジ部１１２０に交差するようにのびる直線状薄肉部によって構成されている。
【００３７】
押し上げ手段１１３０は、表紙１１１２を開いたときには、背表紙１１１４よりも高い位置にある表表紙１１１６及び裏表紙１１１８と略々同じ高さに位置するように構成されている。
表側の立ち上がり部材１１３０Ｂは、表紙１１１２を閉じたときには、略垂直に立ち上がった表表紙１１１６の内面に沿って作動部１１５２が立ち上がるとともに、ヒンジ部１１３６によって折れ曲がり、作動部１１５２の向こう側の上端近傍が立ち上がり部材１１３０Ａの当接部１１３２の上面に当接する。
裏側の立ち上がり部材１１３０Ａは、表紙１１１２を閉じたときには、略々垂直に立ち上がった裏表紙１１１８の内面に沿って取付部１１３４が立ち上がるとともに、ヒンジ部１１３６によって折れ曲がり、立ち上がり部材１１３０Ｂの作動部１１５２によって押し下げられて、当接部１１３２の向こう側の上端近傍が背表紙１１１４の内面に当接するとともに当接部１１３２の手前側の下端近傍が表側薄肉ヒンジ部１１２０及び裏側薄肉ヒンジ部１１２２よりも上方の位置に立ち上がるように構成されている。
【００３８】
この実施の形態の裏側の立ち上がり部材１１３０Ａにおいては、取付部１１３４は、平面視略々台形状の平板からなり、取付部１１３４の向こう側上端縁１１３８と取付部１１３４の手前側下端縁１１４０とは平行である。そして、取付部１１３４は、向こう側上端縁１１３８が表表紙側端が背表紙１１１４の上方に至るまでのび、下端縁が裏側薄肉ヒンジ部１１２２までのびている。
又、当接部１１３２は、平面視略々台形状の平板からなり、向こう側上端縁１１４２と手前側下端縁１１４４とは平行である。そして、当接部１１３２は、向こう側上端縁１１４２の表表紙側端が裏表紙１１１８の内側にある表側薄肉ヒンジ部１１２０の近傍に至るまでのび、手前側下端縁１１４４の表表紙側端部が表側薄肉ヒンジ部１１２０の近傍に位置し、手前側下端縁１１４４の裏表紙側端部が裏側薄肉ヒンジ部１１２２から更に裏表紙１１１８側に至るように、表紙１１１２の幅方向にのびる。
当接部１１３２の裏側端縁１１４８は、ヒンジ部１１３６より更に手前側にのび、表紙１１１２を開いたときに、裏側薄肉ヒンジ部１１２２を超えて表表紙１１１６までのびる。
当接部１１３２の表側端縁１１４６は、表紙１１１２を開いたときと閉じたときのいずれも、背表紙１１１４の領域内に収まるように形成されている。
この実施の形態の立ち上がり部材１１３０Ｂにおいては、第２取付部１１５４は、平面視略台形状の平板からなり、向こう側上端縁１１５８と手前側下端縁１１６０とは平行である。そして、第２取付部１１５４は、向こう側上端縁１１５８の背表紙側端が背表紙１１１４の上方に至るまでのび、手前側下端縁１１６０が表側薄肉ヒンジ部１１２０までのびている。
作動部１１５２は、平面視略台形状の平板からなり、向こう側上端縁１１６２と手前側下端縁１１６４とは平行である。そして、作動部１１５２は、向こう側上端縁１１６２の裏表紙側が背表紙１１１４の上方までのび、手前側の下端縁が表側薄肉ヒンジ部１１２０までのびる。
【００３９】
そして、表紙を閉じたときは、当接部１１３２の向こう側上端縁１１４２は、背表紙１１１４の内面に当接し、当接部１１３２の手前側下端縁１１４４は、表側薄肉ヒンジ部１１２０より表紙１１１２の幅方向に向けて立ち上がり、被綴じ物Ｓの綴じ代側端縁Ｓ１を押し上げる。
【００４０】
而して、綴じ穴を２以上穿設された被綴じ物Ｓの綴じ穴に、第１の綴環１２の第１の半割杆１２ａ及び第２の半割杆１２ｂ並びに第２の綴環１４の第３の半割杆１４ａ及び第４の半割杆１４ｂを挿通して、綴じ具１０に被綴じ物Ｓを綴じられたファイル１１１０を閉じ、且つ、ファイル１１１０を、綴じ具１０の長さ方向に立てたとき、被綴じ物Ｓの綴じ穴と離れた領域である自由端側の近傍の下端縁が、表表紙１１１６及び裏表紙１１１８の下端縁より垂れ下がることなく、外に出ない。
【００４１】
図２１は、本発明の一実施の形態であるファイルの平面図解図である。図２４は、図２１図示ファイルの表紙を閉じた状態の平面図解図である。
【００４２】
この発明の実施の形態であるファイル１２１０は、表紙１２１２と、表紙１２１２に固定された綴じ具１０とを含む。
【００４３】
綴じ具１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００４４】
表紙１２１２は、前記綴じ具１０の保持部材を固定する背表紙１２１４と、前記背表紙１２１４の両端に開閉自在に延設された、表表紙１２１６及び裏表紙１２１８とを備え、図２１及び２７に示すように、表表紙１２１６と裏表紙１２１８が背表紙１２１４に対して立設状態となり対向するように連設され、幅（Ａ）と高さ（Ｂ）と背幅（Ｃ）とを有する。
そして、表表紙１２１６及び裏表紙１２１８は、背表紙１２１４寄りに高さ（Ｂ）方向にのびる開閉用の表側薄肉ヒンジ部１２２０及び裏側薄肉ヒンジ部１２２２が設けられ、表側薄肉ヒンジ部１２２０と裏側薄肉ヒンジ部１２２２とは、平行でその間において背幅（Ｃ）を構成する。
【００４５】
表表紙１２１６の開閉を可能にする表側薄肉ヒンジ部１２２０及び裏表紙１２１８の開閉を可能にする裏側薄肉ヒンジ部１２２２は、断面略Ｖ字溝であり、表側薄肉ヒンジ部１２２０と裏側薄肉ヒンジ部１２２２とは、それぞれ平行である。表側薄肉ヒンジ部１２２０は、背表紙１２１４と表表紙１２１６との境界に設けられており、裏側薄肉ヒンジ部１２２２は、背表紙１２１４と裏表紙１２１８との境界に設けられている。
【００４６】
表表紙１２１６及び裏表紙１２１８と背表紙１２１４との連設部の構成としては、プラスチック製表紙体に略Ｖ字溝からなる連設部１２２４ａ、１２２４ｂを形成してその溝底で折り曲げる構成を採用している。すなわち、表表紙１２１６及び裏表紙１２１８と背表紙１２１４との連設部１２２４ａ、１２２４ｂとなる略Ｖ字溝を設け、この連設部１２２４ａ、１２２４ｂの溝底で折り曲げて背表紙１２１４に対し表表紙１２１６及び裏表紙１２１８が立設状態に連設されるようにしたものである。連設部１２２４ａ、１２２４ｂを利用した場合、この連設部１２２４ａ、１２２４ｂの開き角度を変えることによって背表紙１２１４の構造を変更することができる。
【００４７】
表表紙１２１６及び裏表紙１２１８の開閉を可能にする薄肉ヒンジ部１２２０と１２２２は、断面略Ｖ字溝であり、連設部１２２４ａ、１２２４ｂから若干小口寄りの位置において表表紙１２１６及び裏表紙１２１８に設けられる。
表表紙１２１６は、表側薄肉ヒンジ部１２２０と連設部１２２４ａとの間には表側立設部１２２６が形成されており、又、裏側薄肉ヒンジ部１２２２と連設部１２２４ｂとの間には、裏側立設部１２２８が形成されている。
【００４８】
この綴じ具１０の第１の綴環１２及び第２の綴環１４は、Ｏ字型であり、図３８において示すように、綴じ具の長さ（Ｄ）と、綴じ具の幅（Ｅ）と、綴じ具の高さ（Ｈ）とを有する。
この綴じ具１０の綴環は、第１の綴環１２と第２の綴環１４とからなるが、第１の綴環１２の第１の半割杆１２ａと第２の半割杆１２ｂ及び第２の綴環１４の第３の半割杆１４ａと第４の半割杆１４ｂとがそれぞれ線対称であり、その形状が略同じである。
すなわち、第１の綴環１２の第１の半割杆１２ａ及び第２の綴環１４の第３の半割杆１４ａは、略半円環状であり、もう一方の（第１の綴環１２の）第２の半割杆１２ｂ及び（第２の綴環１４の）第４の半割杆１４ｂは、略半円環状であり、背表紙１２１４の内側に位置する。
第１の綴環１２と第２の綴環１４とは、綴じ具の長さ（Ｄ）方向において適宜な間隔をおいて分かれており、第１の綴環１２及び第２の綴環１４ののびる方向、すなわち高さ（Ｈ）方向を有する。第１の綴環１２及び第２の綴環１４の高さ（Ｈ）方向は、表紙１２１２の幅（Ｅ）方向にのび、且つ表表紙１２１６と裏表紙１２１８の内面と直交し背表紙１２１４の内表面と直交する平面（仮想面）上においてのびる。
【００４９】
綴じ具１０は、表側薄肉ヒンジ部１２２０及び裏側薄肉ヒンジ部１２２２との間に少し距離をおいて、背表紙１２１４の内面に固定されており、第１の綴環１２の基部と頂部との間の長さ及び第２の綴環１４の基部と頂部との間の長さ（すなわち第１の綴環１２及び第２の綴環１４の高さ（Ｈ））は、両方略同等に形成されている。
【００５０】
このファイル１２１０は、綴じ具１０を長さ方向に立てたとき、被綴じ物Ｓを垂れないようにするための押し上げ手段１２３０が、ファイルの表紙１２１２の内側に進退自在に形成されている。
押し上げ手段１２３０は、表紙１２１２の表表紙１２１６を表側薄肉ヒンジ部１２２０において折り曲げ且つ裏表紙１２１８を裏側薄肉ヒンジ部１２２２において折り曲げて閉じ、ファイルを綴じ具１０の長さ方向に立てたとき、表表紙１２１６と背表紙１２１４とのなす角度が略１８０度から略９０度に縮まり、その折り曲げに対応して被綴じ物Ｓの綴じ代側端縁Ｓ１に向けて突き出て、該被綴じ物Ｓを押し上げるように、形成される。
【００５１】
押し上げ手段１２３０は、表紙１２１２の内側に取り付けられた押し上げ手段１２３０を構成する背表紙１２１４側の立ち上がり部材１２３０Ａと表表紙側の立ち上がり部材１２３０Ａにより構成され、該背表紙１２１４側の立ち上がり部材１２３０Ａは、少なくとも背表紙１２１４の内側に進退自在に収容された当接部１２３２を有する。
当接部１２３２は、表表紙１２１６、裏表紙１２１８及び背表紙１２１４のうち一つに連結されている。
【００５２】
背表紙１２１４側の立ち上がり部材１２３０Ａは、綴じ具１０を取り付けられた背表紙１２１４に、取付部１２３４をもって固着され、当接部１２３２との間のヒンジ部１２３６により折れ曲がり、被綴じ物Ｓの綴じ代側端縁Ｓ１に向けて当接部１２３２が進退自在となるように形成されている。
ヒンジ部１２３６は、綴じ具１０の下方であって、表側薄肉ヒンジ部１２２０と裏側薄肉ヒンジ部１２２２とに交差するようにのびる直線状薄肉部によって構成されている。
表表紙１２１６側の立ち上がり部材１２３０Ｂは、綴じ具１０を取り付けられた背表紙１２１４に連設された表表紙１２１６に、第２取付部１２５４をもって固着され、第２取付部１２５４に連続して作動部１２５２を形成され、立ち上がり部材１２３０Ａの当接部１２３２に向けて作動部１２５２が進退自在となるように形成されている。
作動部１２５２は、表表紙１２１６の開閉により、当接部１２３２に進行又は退避するように構成されている。
【００５３】
背表紙１２１４側の立ち上がり部材１２３０Ａは、表紙１２１２を開いたときには、背表紙１２１４よりも高い位置にある表表紙１２１６及び裏表紙１２１８と略々同じ高さに位置するように構成されている。
背表紙１２１４側の立ち上がり部材１２３０Ａは、表紙１２１２を閉じたときには、表表紙１２１６側の立ち上がり部材１２３０Ｂの作動部１２５２の移動によって、立ち上がり部材１２３０Ａの当接部１２３２がヒンジ部１２３６を中心として上方に向けて立ち上がり、手前側の下端が表側薄肉ヒンジ部１２２０及び裏側薄肉ヒンジ部１２２２よりも上方の位置に位置するように構成されている。
【００５４】
立ち上がり部材１２３０Ａの当接部１２３２は、ヒンジ部１２３６より手前側の立ち上がり部１２３２ａと、ヒンジ部１２３６より向こう側の作用点部１２３２ｂとを有する。
表表紙１２１６側の立ち上がり部材１２３０Ｂは、表紙１２１２を閉じたときには、略々垂直に立ち上がった表表紙１２１６の内面に沿って第２取付部１２５４が移動して、作動部１２５２が背表紙１２１４に向けて下がり、立ち上がり部材１２３０Ａの当接部１２３２の作用点部１２３２ｂを押し下げるように構成されている。
【００５５】
而して、当接部１２３２の立ち上がり部１２３２ａは、ヒンジ部１２３６を中心としてその手前側端が背表紙１２１４の内面より立ち上がり、被綴じ物Ｓの綴じ代側端縁Ｓ１に当接して被綴じ物Ｓの下端を押し上げる。
【００５６】
この実施の形態の立ち上がり部材１２３０Ａにおいては、当接部１２３２は、平面視略Ｌ字形の平板からなり、ヒンジ部１２３６より手前側において背表紙１２１４の幅方向にのびる適宜な幅と、背表紙１２１４の高さ方向にのびる適宜な長さとを備える平面視略長方形の立ち上がり部１２３２ａと、前記立ち上がり部１２３２ａと一体的に形成され、ヒンジ部１２３６より向こう側にのびる作用点部１２３２ｂとを有する。
ヒンジ部１２３６は、立ち上がり部１２３２ａの向こう側縁の一部に連設され、作用点部１２３２ｂが突設されていない領域に形成されている。
取付部１２３４は、ヒンジ部１２３６に続いて形成された、平面視略方形状の平板からなり、背表紙１２１４の内面に固定されている。
【００５７】
この実施の形態の立ち上がり部材１２３０Ｂにおいては、作動部１２５２は、平面視略多角形状の平板からなり、第２取付部１２５４は、平面視略方形状の平板からなり、作動部１２５２と第２取付部１２５４とは一体的に形成されている。
第２取付部１２５４は、表側薄肉ヒンジ部１２２０の近傍において、綴じ具の第２の綴環１４を挟んで高さ方向にのびるように表表紙１２１６の内面に固着され、作動部１２５２は、第２取付部１２５４の手前側端近傍において第２取付部１２５４に連設され、背表紙１２１４の幅方向にのびて当接部１２３２の作用点部１２３２ｂの上方に至るように形成されている。
【００５８】
なお、この実施の形態においては、第２取付部１２５４の背表紙１２１４側端縁において、表紙の高さ方向にのびる第３ヒンジ部１２７０を介して、不意な綴じ具１０の綴杆係止部５０の係合の解除を防止するための係合解除防止手段１２７２が形成されている。
係合解除防止手段１２７２は、綴じ具１０の第２の綴環１４の向こう側においてのび、第２の綴環１４の第４の半割杆１４ｂの向こう側への移動を規制している。
【００５９】
この実施の形態の立ち上がり部材１２３０Ａにおいては、取付部１２３４は、平面視略々台形状の平板からなり、向こう側上端縁１２３８と手前側下端縁１２４０とは平行である。そして、取付部１２３４は、向こう側上端縁１２３８が背表紙１２１４の幅方向にのび、表側薄肉ヒンジ部１２２０と裏側薄肉ヒンジ部１２２２との近傍に至るまでのび、手前側下端縁１２４０が、裏側薄肉ヒンジ部１２２２から背表紙１２１４の幅方向にのびヒンジ部１２３６と同じ長さを有する。
又、当接部１２３２は、平面視略々台形状の平板からなり、向こう側上端縁１２４２と手前側下端縁１２４４とは平行である。そして、向こう側上端縁１２４２は、向こう側上端縁１２４２の裏表紙側端が裏表紙１２１８の内側にある裏側薄肉ヒンジ部１２２２の近傍に至るまでのび、手前側下端縁１２４４は、表表紙側端部が、表側薄肉ヒンジ部１２２０の近傍に位置し、手前側下端縁１２４４の裏表紙側端縁部が、裏側薄肉ヒンジ部１２２２の近傍に位置するように幅方向にのびる。
当接部１２３２の表側端縁１２４６は、ヒンジ部１２３６より更に手前側にのび、表紙１２１２を開いたときに、ヒンジ部１２３６を超えて向こう側にのびる。
当接部１２３２の裏側端縁１２４８は、表紙１２１２を開いたときと閉じたときのいずれも、背表紙１２１４の領域内に収まるように形成されている。
【００６０】
そして、表紙を閉じたときには、当接部１２３２の作用点部１２３２ｂは、背表紙１２１４の内面に当接し、手前側の立ち上がり部１２３２ａは、表側薄肉ヒンジ部１２２０より表紙の幅方向に向けて立ち上がり、被綴じ物Ｓの綴じ代側端縁Ｓ１を押し上げる。
【００６１】
而して、綴じ穴を２以上穿設された被綴じ物Ｓの綴じ穴に、第１の綴環１２の第１の半割杆１２ａ及び第２の半割杆１２ｂ並びに第２の綴環１４の第３の半割杆１４ａ及び第４の半割杆１４ｂを挿通して、綴じ具１０に被綴じ物Ｓを綴じられたファイル１２１０を閉じ、且つ、ファイル１２１０を、綴じ具１０の長さ方向に立てたとき、被綴じ物Ｓの綴じ穴と離れた領域である自由端側の近傍の下端縁が、表表紙１２１６及び裏表紙１２１８の下端縁より垂れ下がることなく、外に出ない。
【００６２】
引き続き、綴じ具１０について、主として図２８ないし３７に基づき、さらに詳しく説明する。
綴じ具１０は、環状の綴じ杆を構成する一対のそれぞれ略円環状の金属製の第１の綴環１２および第１の綴環１２と一対の第２の綴環１４と、前記第１の綴環１２および第２の綴環１４をそれぞれ間隔をおいて設けることができる長さを備えた保持部材１６と、その表面に第１の綴環１２および第２の綴環１４が間隔をおいて第１の綴環１２および第２の綴環１４のそれぞれの基部が固定され、第１の綴環１２および第２の綴環１４が前記保持部材１６に固定されるように保持部材１６の内側に可動自在に固定された作動部材１８と、作動部材１８を付勢する開閉部材４０とを備え、第１の綴環１２及び第２の綴環１４を開くときに、保持部材１６内で第１の綴環１２及び第２の綴環１４を保持部材１６の長手方向に移動させるように構成されている。
【００６３】
この綴じ具１０の綴じ杆は、主綴じ杆たる第１の綴環１２と副綴じ杆たる第２の綴環１４とからなる開閉自在の２穴タイプである。
第１の綴環１２と第２の綴環１４とは、同一方向に向けて、その綴杆係止部５０を指で外すことができるように構成されている。
そして、綴じ杆を閉じるときは、主綴じ杆たる第１の綴環１２を、例えば親指と人差し指で直接挟んで閉じるように構成されており、第１の綴環１２を２本の指で挟んで閉じる方向に作動させると、副綴じ杆たる第２の綴環１４は追動するように構成されている。
【００６４】
保持部材１６は、第１の綴環１２と第２の綴環１４とを所定の間隔をおいて設けることができる長さを備える平面視略長方形で、その両端、すなわち表紙１０１２に取り付ける取付孔２０近傍においては、平面視略半円弧状に形成されている。
保持部材１６は、第１の綴環１２および第２の綴環１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴環１２および第２の綴環１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。
【００６５】
保持部材１６の被綴じ物載置部２２には、第１の綴環１２と第２の綴環１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴環１２を構成する第１の半割杆１２ａおよび第２の半割杆１２ｂと、第２の綴環１４を構成する第３の半割杆１４ａおよび第４の半割杆１４ｂとに対応して、保持部材１６の幅方向において左右に分かれて一定の間隔をおいて、２つずつ穿設されている。
【００６６】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図３２及び図３３示）を対称の中心とする点対称形で、保持部材１６の保持空間内において各々をその長手方向において並置したとき、各々その内側縁において屈曲自在に係合する。
【００６７】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図３２図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図３２図示平面Ｐxyより上側）に向いて、その谷折りまたは山折りの状態を維持するように、保持部材１６の内側の保持空間部に内設されている。
平面Ｐxyとは、第１の綴環１２と第２の綴環１４それぞれの基部が第１の作動片３０と第２の作動片３２に固着された部分（４箇所）を通る左右軸Ｙ1，Ｙ2および前後軸Ｘ1，Ｘ2（図３２図示）を含む平面である。
【００６８】
作動部材１８は、一方の作動片、すなわち第１の作動片３０における保持部材１６の被綴じ物載置部２２の内側面と対向する表面（すなわち上面）には、第１の綴環１２を構成する第１の半割杆１２ａの基部が固定され、且つ、前記第１の半割杆１２ａとは一定の間隔をおいて、第２の綴環１４を構成する第３の半割杆１４ａの基部が固定されている。
また、他方の作動片、すなわち第２の作動片３２における保持部材１６の被綴じ物載置部２２と対向する表面（すなわち上面）には、第１の綴環１２を構成する第２の半割杆１２ｂの基部が固定され、且つ、前記第２の半割杆１２ｂと一定の間隔をおいて、第２の綴環１４を構成する第４の半割杆１４ｂの基部が固定されている。
【００６９】
前記作動部材１８は、前記開閉部材４０を収容するために、開閉部材収容部３６が、第１の綴環１２及び第２の綴環１４が固定された表面とは反対側の裏面側より表面側に向けて凹設されている。
前記作動部材１８は、第１の作動片３０の突き合わせ縁３０ａの近傍が第１の綴環１２の突き出る方向に向けて凹まされ且つ第２の作動片３２の突き合わせ縁３２ａの近傍が第２の綴環１４の突き出る方向に向けて凹まされることにより、第１の作動片３０に形成された凹み３６ａと第２の作動片３２に形成された凹み３６ｂとを形成されてなる開閉部材収容部３６が形成されている。
凹み３６ａは、突き合わせ縁３０ａ側が深く凹まされ、第１の綴環１２側の上縁及び第２の綴環１４側の下縁は略平行で、突き合わせ縁３０ａと略直交する平面視略方形状である。
凹み３６ｂは、突き合わせ縁３２ａ側が深く凹まされ、第１の綴環１２側の上縁及び第２の綴環１４側の下縁は略平行で、突き合わせ縁３２ａと略直交する平面視略方形状である。
前記開閉部材収容部３６は、第１の作動片３０に形成された凹み３６ａと第２の作動片３２に形成された凹み３６ｂとが、突き合わせ縁３０ａ及び突き合わせ縁３２ａを軸として線対称形に形成されて構成されている。
前記開閉部材４０は、第１の綴環１２及び第２の綴環１４が固定された表面とは反対側の裏面側において、作動部材１８の前記開閉部材収容部３６に固定され、前記第１の綴環１２及び第２の綴環１４を開くときに、保持部材１６内で、前記作動片３０及び作動片３２を保持部材１６の長手方向に移動させるとともに保持部材１６の内面に近づいた方向に保持されるように、第１の綴環１２及び第２の綴環１４を開く方向に変化させるように形成されているので、開閉部材収容部３６は、開閉部材４０を収容し、開閉部材４０の作用により第１の作動片３０と第２の作動片３２とが低背化を図るように構成されている。
【００７０】
そして、前記第１の綴環１２および第２の綴環１４が閉じるときには、図３４に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち谷折りの状態）、第１の作動片３０の突き合わせ縁３０ａと第２の作動片３２の突き合わせ縁３２ａとが突き合わされた状態において保持されるとともに、前記第１の綴環１２および第２の綴環１４を開くときには、図１３に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
【００７１】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図３２図示））および第２の半割杆１２ｂと第４の半割杆１４ｂとを結ぶ線（Ｘ2（図３２図示））と平行な方向に、第１の作動片３０と第２の作動片３２とを移動させることができるように摺動自在に内設されている。
【００７２】
第１の作動片３０の凹み３６ａ内で突き合わせ縁３０ａ側及び第２の作動片３２の凹み３６ｂ内で突き合わせ縁３２ａ側において、第１の綴環１２と第２の綴環１４とを開閉方向に変化させる開閉部材４０が設けられている。
前記開閉部材４０は、前記作動部材１８を構成する一対の作動片すなわち第１の作動片３０と第２の作動片３２との間において、一対の第１の作動片３０と第２の作動片３２をそれぞれ逆方向に移動させるとともに、綴じ杆すなわち第１の綴環１２及び第２の綴環１４の開閉状態を保持させるように、第１の作動片３０に間隔をおいて固定された綴じ杆すなわち第１の半割杆１２ａ及び第３の半割杆１４ａの基部を結ぶ方向と斜めに交差する方向であり、且つ第２の作動片３２に間隔をおいて固定された綴じ杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図３１（Ａ）に示すように、巻線部４４の円周方向に規制腕部４６ａと規制腕部４６ｂとが平行に突き出されている。
【００７３】
前記開閉部材４０は、第１の綴環１２と第２の綴環１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴環１２と第２の綴環１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図３１（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図３１（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。
【００７４】
開閉部材４０は、第１の作動片３０と第２の作動片３２との突き合わせ縁３０ａおよび突き合わせ縁３２ａが、谷折り状態（図３４図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の第１の半割杆１２ａを固定する部位と第３の半割杆１４ａを固定する部位とを結ぶ線（前後軸Ｘ1（図３２図示））および第２の作動片３２の第２の半割杆１２ｂを固定する部位と第４の半割杆１４ｂを固定する部位とを結ぶ線（前後軸Ｘ2（図３２図示））と斜めに交差する方向に架け渡されている。
【００７５】
そして、１対の前記第１の作動片３０及び第２の作動片３２は、前記保持部材１６の長手方向において互いに逆方向に移動させることにより、前記半割杆の組み合わせによる前記第１の綴環１２及び第２の綴環１４が分離され、前記第１の綴環１２及び第２の綴環１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。
【００７６】
そして、開閉部材４０の弾性により、作動部材１８を構成する第１の作動片３０及び第２の作動片３２は、第１の綴環１２と第２の綴環１４を手で開き始めたとき、すなわち、第１の綴環１２と第２の綴環１４のそれぞれの綴杆係止部５０を外したとき、伸びていた開閉部材４０の巻線部４４を更に伸ばす方向に作用させ、第１の綴環１２の第１の半割杆１２ａと第２の半割杆１２ｂとが離れる方向（第１の半割杆１２ａはＯ1方向で、第２の半割杆１２ｂはＯ2方向（図３２図示））および第２の綴環１４の第３の半割杆１４ａと第４の半割杆１４ｂとが離れる方向（第３の半割杆１４ａはＯ1方向で、第４の半割杆１４ｂはＯ2方向（図３２図示））に移動し、第１の作動片３０と第２の作動片３２とをそれぞれ逆方向（第１の作動片３０はＯ1方向で、第２の作動片３２はＯ2方向（図３２図示））に移動させるように作用する（図３５参照）。
【００７７】
さらに、開閉部材４０は、第１の半割杆１２ａと第２の半割杆１２ｂとをおよび第３の半割杆１４ａと第４の半割杆１４ｂとを円周方向（図３２図示の左右軸Ｙ1および左右軸Ｙ2方向）に引き離すように作用する。ねじられていた開閉部材４０は、図３１（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴環１２及び第２の綴環１４の円周方向（第１の半割杆１２ａおよび第３の半割杆１４ａはＯ3方向、第２の半割杆１２ｂおよび第４の半割杆１４ｂはＯ4方向（図３２図示））に引き離すように作用する（図３６（Ａ）参照）。
【００７８】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図３２図示））に移動し、且つ、第２の作動片３２は、綴杆係止部５０を閉じる位置の方向（Ｏ2とは反対の方向（図３２図示））に移動する。（図３６（Ｂ）及び３７参照）。
【産業上の利用可能性】
【００７９】
この発明にかかるファイル・バインダ類は、たとえば、リング綴じ具、パイプ型綴じ具又はプロング型綴じ具を用いた、２穴用や４穴用など多穴用のファイル・バインダ類等、広く適用できる。
【図面の簡単な説明】
【００８０】
【図１】本発明の一実施の形態であるファイルの平面図解図である。
【図２】図１図示ファイルの開いた状態における正面図解図である。
【図３】図１図示ファイルの開いた状態における側面図解図である。
【図４】図１図示ファイルの閉じた状態における平面図解図である。
【図５】図１図示ファイルの閉じた状態における正面図解図である。
【図６】図１図示ファイルの閉じた状態における側面図解図である。
【図７】本発明の一実施の形態であるファイルの平面図解図である。
【図８】図７図示ファイルの開いた状態における正面図解図である。
【図９】図７図示ファイルの開いた状態における側面図解図である。
【図１０】図７図示ファイルの閉じた状態における平面図解図である。
【図１１】図７図示ファイルの閉じた状態における正面図解図である。
【図１２】図７図示ファイルの閉じた状態における側面図解図である。
【図１３】本発明の一実施の形態であるファイルの平面図解図である。
【図１４】図１３図示ファイルの開いた状態における正面図解図である。
【図１５】図１３図示ファイルの開いた状態における側面図解図である。
【図１６】図１３図示ファイルの開いた状態における側面図解図である。
【図１７】図１３図示ファイルの閉じた状態における平面図解図である。
【図１８】図１３図示ファイルの閉じた状態における正面図解図である。
【図１９】図１３図示ファイルの閉じた状態における側面図解図である。
【図２０】図１３図示ファイルの閉じた状態における側面図解図である。
【図２１】本発明の一実施の形態であるファイルの平面図解図である。
【図２２】図２１図示ファイルの開いた状態における正面図解図である。
【図２３】図２１図示ファイルの開いた状態における側面図解図である。
【図２４】図２１図示ファイルの閉じた状態における平面図解図である。
【図２５】図２１図示ファイルの閉じた状態における正面図解図である。
【図２６】図２１図示ファイルの閉じた状態における正面図解図である。
【図２７】図２１図示ファイルの閉じた状態における側面図解図である。
【図２８】本発明にかかる一実施の形態である綴具の一例を示す斜視図である。
【図２９】保持部材の斜視図である。
【図３０】作動部材及び開閉部材の斜視図解図である。
【図３１】開閉部材の側面図解図で、（Ａ）は元の状態の側面図解図で（Ｂ）は巻線部の円周方向に力を加えて作動片に固定された状態の側面図解図であり、（Ｃ）は巻線部の円周方向に力を加えて作動片に固定された状態の側面図解図である。
【図３２】綴じ杆及び作動部材の図解図であり、（Ａ）は閉じた状態における綴じ杆と作動部材を示す平面図解図であり、（Ｂ）は第２の作動片の左側図解図である。綴じ杆及び作動部材の図解図であり、（Ａ）は閉じた状態における綴じ杆と作動部材を示す平面図解図であり、（Ｂ）は第２の作動片の左側図解図である。
【図３３】閉じた状態における綴具の底面図である。
【図３４】閉じた状態における綴具の横断面図であり、（Ａ）は、図３３Ａ−Ａ断面図であり、（Ｂ）は、図３３Ｂ−Ｂ断面図である。
【図３５】綴じ杆を開く状態を示す綴具の底面図である。
【図３６】開く状態を示す綴具の底面図解図であり、（Ａ）は、ほぼ開いた綴具の底面図解図であり、（Ｂ）は、開き終わった底面図解図である。
【図３７】開いた状態における綴具の横断面図であり、（Ａ）は、図３６Ａ−Ａ断面図であり、（Ｂ）は、図３６Ｂ−Ｂ断面図である。
【図３８】この発明にかかるファイルの各部及び方向を示す斜視図解図である。
【図３９】従来のファイルの表紙を閉じた状態の一部を断面とした正面図解図である。
【符号の説明】
【００８１】
１０  綴じ具
１２  第１の綴環
１２ａ  第１の半割杆
１２ｂ  第２の半割杆
１４  第２の綴環
１４ａ  第３の半割杆
１４ｂ  第４の半割杆
１６  保持部材
１８  作動部材
２０  取付孔
２２  被綴じ物載置部
２４  保持壁
２４ａ  第１の保持壁
２４ｂ  第２の保持壁
２６  第１の貫通孔
２８  第２の貫通孔
３０  第１の作動片
３０ａ  突き合わせ縁
３０ｂ  外側端縁
３２  第２の作動片
３２ａ  突き合わせ縁
３２ｂ  外側端縁
３６  開閉部材収容部
３６ａ，３６ｂ  凹み
３８ａ，３８ｂ  開閉部材固定部
４０  開閉部材
４２ａ，４２ｂ  固定先端部
４４  巻線部
４６ａ，４６ｂ  規制腕部
５０  綴杆係止部
１０１０，１１１０，１２１０  ファイル
１０１２，１１１２，１２１２  表紙
１０１４，１１１４，１２１４  背表紙
１０１６，１１１６，１２１６  表表紙
１０１８，１１１８，１２１８  裏表紙
１０２０，１１２０，１２２０  表側薄肉ヒンジ部
１０２２，１１２２，１２２２  裏側薄肉ヒンジ部
１０２４ａ、１０２４ｂ，１１２４ａ、１１２４ｂ，１２２４ａ、１２２４ｂ  連設部
１０２６，１１２６，１２２６  表側立設部
１０２８，１１２８，１２２８  裏側立設部
１０３０，１１３０，１２３０  押し上げ手段
１０３０Ａ，１１３０Ａ，１１３０Ｂ，１２３０Ａ，１２３０Ｂ  立ち上がり部材
１０３２，１１３２，１２３２  当接部
１０３２ａ  支持部
１０３２ａ１  第１下縁
１０３２ａ２  第２下縁
１０３４，１１３４，１２３４  取付部
１０３６，１１３６，１２３６  ヒンジ部
１０３８，１１３８，１２３８  向こう側上端縁（取付部の）
１０４０，１１４０，１２４０  手前側下端縁（取付部の）
１０４２，１１４２，１２４２  向こう側上端縁（当接部の）
１０４４，１１４４，１２４４  手前側下端縁（当接部の）
１０４６，１１４６，１２４６  表側端縁（当接部の）
１０４８，１１４８，１２４８  裏側端縁（当接部の）
１１５２，１１５２，１２５２  作動部
１１５４，１１５４，１２５４  第２取付部
１１５６  第２ヒンジ部
１１５８  向こう側上端縁（第２取付部の）
１１６０  手前側下端縁（第２取付部の）
１１６２  向こう側上端縁（作動部の）
１１６４  手前側下端縁（作動部の）
１２３２ａ  立ち上がり部
１２３２ｂ  作用点部
１２３４  取付部
１２７０  第３ヒンジ部
１２７２  係合解除防止手段
Ｃ  中央
Ｓ  被綴じ物
Ｓ１  綴じ代側端縁
【図１】
2010069736.tif 000003
【図２】
2010069736.tif 000004
【図３】
2010069736.tif 000005
【図４】
2010069736.tif 000006
【図５】
2010069736.tif 000007
【図６】
2010069736.tif 000008
【図７】
2010069736.tif 000009
【図８】
2010069736.tif 000010
【図９】
2010069736.tif 000011
【図１０】
2010069736.tif 000012
【図１１】
2010069736.tif 000013
【図１２】
2010069736.tif 000014
【図１３】
2010069736.tif 000015
【図１４】
2010069736.tif 000016
【図１５】
2010069736.tif 000017
【図１６】
2010069736.tif 000018
【図１７】
2010069736.tif 000019
【図１８】
2010069736.tif 000020
【図１９】
2010069736.tif 000021
【図２０】
2010069736.tif 000022
【図２１】
2010069736.tif 000023
【図２２】
2010069736.tif 000024
【図２３】
2010069736.tif 000025
【図２４】
2010069736.tif 000026
【図２５】
2010069736.tif 000027
【図２６】
2010069736.tif 000028
【図２７】
2010069736.tif 000029
【図２８】
2010069736.tif 000030
【図２９】
2010069736.tif 000031
【図３０】
2010069736.tif 000032
【図３１】
2010069736.tif 000033
【図３２】
2010069736.tif 000034
【図３３】
2010069736.tif 000035
【図３４】
2010069736.tif 000036
【図３５】
2010069736.tif 000037
【図３６】
2010069736.tif 000038
【図３７】
2010069736.tif 000039
【図３８】
2010069736.tif 000040
【図３９】
2010069736.tif 000041